【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
アイウェアクリーニング装置であって、
洗浄チャンバーと、
前記洗浄チャンバー内に配置される支持ブラケットであって、アイウェアを前記洗浄チャンバー内に支持するように構成される、該支持ブラケットと、
少なくとも１つのノズルであって、前記洗浄チャンバー内に配置されるとともに、前記アイウェアが前記支持ブラケットによって支持されているときに洗浄液を前記アイウェア上に方向付けるように構成される、少なくとも１つのノズルと、
該アイウェアクリーニング装置のユーザーから入力を受信するように構成される入力装置と、
前記入力装置から入力信号を受信するように、そして、前記受信された入力信号に基づいて、前記少なくとも１つのノズルに対する前記支持ブラケットの向きを変えるように構成される、コントローラーと、
を備える、アイウェアクリーニング装置。
【請求項２】
前記支持ブラケットは、種々のタイプ及びサイズのアイウェアを前記洗浄チャンバー内に支持するように構成される、請求項１に記載のアイウェアクリーニング装置。
【請求項３】
前記支持ブラケットは、
支持部と、
前記支持部から概ね対向する方向に突出する２本のバーであって、各バーは、前記アイウェアが前記支持ブラケットによって支持されているときに前記アイウェアの対応するアーム部を受け入れるように構成される、２本のバーと、
ブラケットバーであって、前記２本のバーに対して概ね垂直に向けられるとともに、前記アイウェアが前記支持ブラケットによって支持されているときに前記アイウェアのノーズピースを支持するように構成される、ブラケットバーと、
を備える、請求項１に記載のアイウェアクリーニング装置。
【請求項４】
前記２本のバーのそれぞれは、該バーの一端に配設されるループを含み、該ループのそれぞれは、前記アイウェアが前記支持ブラケットによって支持されているときに、前記ア
イウェアの前記対応するアーム部が該ループを通過することを可能にするように構成される、請求項３に記載のアイウェアクリーニング装置。
【請求項５】
前記ブラケットバーは、
ノーズブリッジ保持アセンブリと、
弾性部材と、
を更に備え、
前記弾性部材は、前記ノーズブリッジ保持アセンブリと前記支持部とに接続されており、
前記弾性部材は、該アイウェアクリーニング装置が運転中であるとき、前記洗浄液の力に抗うように前記アイウェアを前記支持ブラケット上に固定するよう、前記アイウェアに対して十分な力を印加するように構成される、請求項３に記載のアイウェアクリーニング装置。
【請求項６】
前記ブラケットバーは３インチの長さである、請求項３に記載のアイウェアクリーニング装置。
【請求項７】
前記２本のバーのそれぞれは４インチの長さである、請求項３に記載のアイウェアクリーニング装置。
【請求項８】
前記洗浄液を保持する流体リザーバーを受け入れるように構成される内部空間と、
前記洗浄液を濾過するように構成されるフィルター系と、
を更に備える、請求項１に記載のアイウェアクリーニング装置。
【請求項９】
前記フィルター系は逆浸透フィルターを備える、請求項８に記載のアイウェアクリーニング装置。
【請求項１０】
前記洗浄液を保持するように構成される前記流体リザーバーを更に備える、請求項８に記載のアイウェアクリーニング装置。
【請求項１１】
前記支持ブラケットの下に配設されるとともに使用済みの洗浄液を回収するように構成される排水口を更に備え、
前記使用済みの洗浄液は、前記少なくとも１つのノズルから流出する洗浄液である、請求項１０に記載のアイウェアクリーニング装置。
【請求項１２】
洗浄液搬送システムを更に備え、
前記洗浄液搬送システムは、
洗浄液を前記流体リザーバーから前記少なくとも１つのノズルまで移送するように、
前記回収された使用済みの洗浄液を前記排水口から前記フィルター系まで移送するように、そして、
濾過された洗浄液を前記フィルター系から前記流体リザーバーまで移送するように構成される、請求項１１に記載のアイウェアクリーニング装置。
【請求項１３】
前記液搬送システムは、前記洗浄液を前記少なくとも１つのノズルのそれぞれに２００ｐｓｉ〜１０００ｐｓｉの圧力範囲で送達するように構成されるポンプを備える、請求項１２に記載のアイウェアクリーニング装置。
【請求項１４】
前記入力装置は、
トラックボール、
ジョイスティック、
方向キーパッド、
タッチパッド、及び
タッチスクリーン、
のうちの少なくとも１つを備える、請求項１に記載のアイウェアクリーニング装置。
【請求項１５】
現金支払い又は電子支払いのうちの少なくとも１つを受理するように構成される支払いセンターを更に備え、
前記コントローラーは、
前記支払いが受理されたことを示す信号を前記支払いセンターから受信するように、
前記洗浄チャンバーのドアを開放させるように、
前記洗浄チャンバーのドアを閉鎖させるように、
洗浄液搬送システムを、前記洗浄液を前記少なくとも１つのノズルに供給するよう制御するように、そして、
前記洗浄液搬送システムが前記洗浄液を前記少なくとも１つのノズルに供給している間、前記受信された入力信号に応じて、前記少なくとも１つのノズルに対する前記支持ブラケットの向きを変更するように構成される、請求項１に記載のアイウェアクリーニング装置。
【請求項１６】
前記受信された入力信号は、自動モードの選択を示し、
前記自動モードの前記選択に応じて、前記コントローラーは、前記支持ブラケットを前記少なくとも１つのノズルに対して自動的に振動させることによって、前記支持ブラケットの向きを変更する、請求項１に記載のアイウェアクリーニング装置。
【請求項１７】
前記少なくとも１つのノズルは、第１のノズル及び第２のノズルを含み、該第１のノズルは、前記アイウェアが前記支持ブラケットによって支持されているときに、液を前記アイウェアの前面に方向付けるように構成され、前記第２のノズルは、前記アイウェアが前記支持ブラケットによって支持されているときに、液を前記アイウェアの後面に方向付けるように構成される、請求項１に記載のアイウェアクリーニング装置。
【請求項１８】
前記アイウェアが前記支持ブラケットによって支持されているときに、前記アイウェアを乾燥するように構成されるディフューザーと、
前記洗浄チャンバーから残留水分を排出するように構成される排出口と、
を更に備える、請求項１に記載のアイウェアクリーニング装置。
【請求項１９】
アイウェアを洗浄チャンバー内に支持することと、
前記アイウェアが支持手段によって支持されているときに洗浄液を前記アイウェア上に方向付けることと、
前記アイウェアクリーニング装置のユーザーからの入力信号を受信することと、
前記受信された入力信号に基づいて、少なくとも１つのノズルに対する前記支持手段の向きを変更することと、
を含む、アイウェアクリーニング装置を運転する方法。
【請求項２０】
アイウェアクリーニング装置であって、
アイウェアを洗浄チャンバー内に支持する支持手段と、
前記アイウェアが前記支持手段によって支持されているときに洗浄液を前記アイウェア上に方向付ける手段と、
該アイウェアクリーニング装置のユーザーからの入力信号を受信する手段と、
前記受信された入力信号に基づいて、少なくとも１つのノズルに対する前記支持手段の向きを変更する手段と、
を備える、アイウェアクリーニング装置。
【手続補正２】
【補正対象書類名】明細書
【補正対象項目名】００１３
【補正方法】変更
【補正の内容】
【００１３】
本発明の例示的な実施形態によれば、ユーザーは、アイウェアを手動運転モードで自らクリーニングする（ｓｅｌｆ−ｃｌｅａｎ）ことを望む場合、洗浄液の噴霧が、取り付けられたアイウェアの、ユーザーによって選択された場所に接触するように、支持手段を回転させるトラックボールを利用することができる。加えて、制御キャビネットは、コンピューターと、洗浄液戻りアセンブリと、洗浄液リザーバーと、ポンプと、洗浄液をディスプレイキャビネット内のノズルまで移送するチューブと、ブロワーと、空気をブロワーからディスプレイキャビネット内のディフューザーまで移送する配管の一部と、運転中にディスプレイキャビネット内を封止するように円筒形の洗浄チャンバーを昇降させるモーターとを収容する。
【手続補正３】
【補正対象書類名】明細書
【補正対象項目名】００１６
【補正方法】変更
【補正の内容】
【００１６】
【図１】洗浄機の外部の斜視図である。
【図２】ディスプレイキャビネットの内部及び操作パネルの上側部分の分離図（ｉｓｏｌａｔｅｄ  ｖｉｅｗ）である。
【図３】支持ブラケットの分離図である。
【図４】洗浄機の制御キャビネット及びその構成要素の内部図である。
【図５Ａ】運転中の洗浄機のプロセスフローアルゴリズムである。
【図５Ｂ】運転中の洗浄機のプロセスフローアルゴリズムである。
【手続補正４】
【補正対象書類名】明細書
【補正対象項目名】００２２
【補正方法】変更
【補正の内容】
【００２２】
図４を参照すると、洗浄液リザーバー３０は、耐久性のある非腐食性材料から作られており、制御キャビネット７の内部の底部に配置されている。洗浄液リザーバー３０内に貯蔵されている洗浄液３９の重量は、洗浄機を安定化させるのを更に助ける。洗浄液品質検出器３１が、図４に示されているように、洗浄液リザーバー３０内に配置される。本発明の例示的な実施形態では、洗浄液リザーバー３０は、５ガロンの容量を有し、標準的なウォーターボトルである。さらに、洗浄液品質検出器は、洗浄液３９中の全溶解固形物を測定する。好ましい洗浄液３９は、逆浸透方法又は他の濾過方法によって濾過された水である。
【手続補正５】
【補正対象書類名】明細書
【補正対象項目名】００２４
【補正方法】変更
【補正の内容】
【００２４】
図４に示されているように、ポンプ３２が制御キャビネット７の内側に取り付けられている。吸引ホース３３がポンプ３２の一端に取り付けられており、ポンプ３２から、洗浄
液リザーバー３０のベース付近において洗浄液リザーバー３０内へ延びる。吸引ホース３３の端部には、インラインフィルター３４が取り付けられている。洗浄機が洗浄サイクル中に運転している場合、ポンプ３２は洗浄液３９を洗浄液リザーバー２６からインラインフィルター３４及び吸引ホース３３を通じて引き出す。次いで、洗浄液３９はポンプ３２から、ポンプ３２の出口に接続されているチューブ１３Ａ、１３Ｂを通じて搬送される。ブロワー３５が制御キャビネット７内に取り付けられている。図２及び図４に示されているように、チューブ１３Ａ、１３Ｂはポンプ３２から、また配管１４はブロワー３５からそれぞれ、制御キャビネット７を通ってディスプレイキャビネット２内に上へ延びる。図２に示されているように、円筒形の洗浄チャンバー３が閉鎖している場合、チューブ１３Ａ及び１３Ｂは、ノズル５Ａ及び５Ｂに接続して、ノーズブリッジ保持アセンブリ１８の正面及び背後の概ね３インチの箇所まで延びる。ディフューザー６の中心は、アイウェア１が支持ブラケット４に取り付けられている場合、ノーズブリッジ保持アセンブリ１８と水平方向に位置合わせされて、アイウェア１の概ね５インチ上に位置付けられる。この実施形態では、ポンプ３２は、少なくとも２００ポンド毎平方インチ（ｐｓｉ）〜１０００ｐｓｉ以下の作動圧範囲を有する。好ましい適用圧力は、少なくとも２５０ｐｓｉであり、３００ｐｓｉ以下である。
【手続補正６】
【補正対象書類名】明細書
【補正対象項目名】００２６
【補正方法】変更
【補正の内容】
【００２６】
図１、図２、及び図３に示されているように、操作パネル１５の外部は、ギアアセンブリ２５を制御するトラックボール２８と、ユーザーがコンピューターコントローラー４２と対話することを可能にするタッチスクリーン２７とを含む。洗浄機は１つ又は複数のオーディオスピーカー４５も備え、オーディオスピーカーは、洗浄機の状態に応じてユーザーとのオーディオ通信を可能にする。自動モードでは、図４に示されているように、制御キャビネット７内に取り付けられているコンピューターコントローラー４２はギアアセンブリ２５を作動させ、支持ブラケット４を左右に回転させる。図３に示されているように、この回転によって、洗浄サイクル及び乾燥サイクルのいずれの間においても、ループ２２が支持ブラケット４の開始位置から両方向に概ね１インチ偏向する。これによって、標準的なアイウェア１の全ての部分が、洗浄サイクル及び乾燥サイクル中にそれぞれノズル５Ａ及び５Ｂ並びにディフューザー６に対してそれぞれ完全に露出することが可能になる。洗浄機が手動モードで運転している場合、ユーザーは、トラックボール２８を動かすことによって、ギアアセンブリ２５を作動させて支持ブラケット４を回転させることができる。代替的には、トラックボール２８及びタッチスクリーン２７は、洗浄機が常に自動モードで機能する場合には省略することができる。タッチスクリーン２７の代わりに、タッチパッドを使用することができる。
【手続補正７】
【補正対象書類名】図面
【補正対象項目名】図４
【補正方法】変更
【補正の内容】
【図４】
2014510957.tif 000001